(57)【要約】【課題】貯蔵室内における印刷やラベル等の表示を少なくできる冷蔵庫を提供する。【解決手段】前面が開口した冷蔵室１４と、冷蔵室１４内の天井面に設けられた庫内灯５４と、光透過部に設けられた表現部４９と、庫内灯５４からの光が表現部４９を透過して文字が投影される傾斜面５２とを有する。【選択図】      図６
2019045084.tif 000002
【特許請求の範囲】
【請求項１】
前面が開口した貯蔵室と、
前記前面の扉と、
前記貯蔵室内、又は扉に設けられた光源と、
前記貯蔵室内、又は扉に設けられ、文字、記号、図形の少なくとも一つの表現体が表現された表現部と、
前記貯蔵室内に設けられ、前記光源からの光が、前記表現部を透過して前記表現体が投影される投影部と、
を有する冷蔵庫。
【請求項２】
前記光源、前記表現部、前記投影部が、上から順番に設けられている、
請求項１に記載の冷蔵庫。
【請求項３】
前記貯蔵室内において、斜め上から順番に、前記光源、前記表現部、前記投影部が設けられている、
請求項２に記載の冷蔵庫。
【請求項４】
前記光源、前記表現部、前記投影部が、前、又は後から順番に設けられている、
請求項１に記載の冷蔵庫。
【請求項５】
前記投影部が、前に行くほど下方に傾斜した傾斜面である、
請求項１に記載の冷蔵庫。
【請求項６】
前記投影部に投影された前記表現体のサイズが、前記表現部で表現された前記表現体より大きい、
請求項１に記載の冷蔵庫。
【請求項７】
前記投影部は、前記冷蔵庫内において特定機能を有する特定機能手段、又は特定機能手段の近傍に設けられている、
請求項１に記載の冷蔵庫。
【請求項８】
前記表現部の前記表現体は、透明部分に前記表現体が形成されているか、又は、非透明部分に前記表現体が透明に形成されている、
請求項１に記載の冷蔵庫。
【請求項９】
前記光源と前記表現部との間に透明な棚板が一又は複数段設けられている、
請求項２に記載の冷蔵庫。
【請求項１０】
前記表現部と前記投影部の間に透明な棚板が一又は複数段設けられている、
請求項２に記載の冷蔵庫。
【請求項１１】
前記光源の色が、前記冷蔵庫の運転条件に合わせて変化する、
請求項１に記載の冷蔵庫。
【請求項１２】
前記投影部は、前記貯蔵室の前方から目視できる高さに設けられている、
請求項１に記載の冷蔵庫。
【請求項１３】
前記投影部は、ポリプロピレンから形成されている、
請求項１に記載の冷蔵庫。
【請求項１４】
前記光源は、前記貯蔵室の庫内灯である、
請求項１に記載の冷蔵庫。
【請求項１５】
前記表現部は、前記光源のランプカバーに設けられている、
請求項１に記載の冷蔵庫。
【請求項１６】
前記表現部は、前記棚板に設けられている、
請求項９又は１０に記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室や野菜室の貯蔵室において、外観品位向上のために、印刷やラベルなどで庫内面に商品名、機能表示などを表示している。
【先行技術文献】
【特許文献】
【０００３】
【特許文献１】特開２０１７−１１６１２１号公報
【特許文献２】特開２０１７−７２３１６号公報
【発明の概要】
【発明が解決しようとする課題】
【０００４】
上記のような貯蔵室内部に印刷やラベル等で表示を多く行うと部品代のコストが高くなり、またラベルの貼り付け工数などが増加するという問題点があった。
【０００５】
そこで、本発明の実施形態は、上記問題点に鑑み貯蔵室内における印刷やラベル等の表示を少なくできる冷蔵庫を提供することを目的とする。
【課題を解決するための手段】
【０００６】
本発明の実施形態は、前面が開口した貯蔵室と、前記貯蔵室内に設けられた光源と、文字、記号、図形の少なくとも一つの表現体が表現された表現部と、前記光源からの光が、前記表現部を透過して前記表現体が投影される投影部と、を有する冷蔵庫である。
【図面の簡単な説明】
【０００７】
【図１】本発明の実施形態１の冷蔵庫の扉を開いた状態の斜視図。
【図２】冷蔵室扉を開いた状態の冷蔵庫の縦断面図。
【図３】空気浄化装置の拡大縦断面図。
【図４】冷凍サイクルの説明図。
【図５】冷蔵庫のブロック図。
【図６】文字を投影している状態の冷蔵室の縦断面図。
【図７】文字を投影している状態の斜面の斜視図。
【図８】実施形態６の文字を投影している状態の斜視図。
【発明を実施するための形態】
【０００８】
以下、本発明の一実施形態の冷蔵庫１０について図面を参照して説明する。
【実施形態１】
【０００９】
実施形態１の冷蔵庫１０について図１〜図７を参照して説明する。
【００１０】
（１）冷蔵庫１０
図１及び図２に示すように、本実施形態に係る冷蔵庫１０は、前面に開口部が形成された断熱箱体よりなるキャビネット１２の内部に複数の貯蔵室を備える貯蔵空間が形成されている。キャビネット１２は、鋼板からなる外箱１２ａと貯蔵空間を形成する内箱１２ｃとの間に真空断熱材や発泡断熱材など断熱部材１３を設けて構成されている。
【００１１】
内箱１２ｂの内方に形成された貯蔵空間は、断熱仕切体３６によって上方の冷蔵空間と下方の冷凍空間とに区画されている。冷蔵空間は、冷蔵温度（例えば、２〜３℃）に冷却される空間であって、内部がさらに仕切体３８によって上下に区画され、仕切体３８の上方に複数段の載置棚を設けた冷蔵室１４が設けられ、仕切体３８の下方に引出式の野菜容器１７を配置する野菜室１６が設けられている。冷蔵室１４の背面には、冷蔵室１４の庫内温度を検出する冷蔵室温度センサ（以下、「Ｒセンサ」という）３１が設けられている。
【００１２】
断熱仕切体３６を介して野菜室１６の下方に配置した冷凍空間は、冷凍温度（例えば、−１８℃以下）に冷却される空間であって、製氷装置１９を備えた製氷室２１と小型冷凍室１８とが左右に併設され、その下方に冷凍室２０が設けられている。冷凍室２０の背面には、冷凍室２０の庫内温度を検出する冷凍室温度センサ（以下、「Ｆセンサ」という）３５が設けられている。
【００１３】
冷蔵室１４の前面開口部は、キャビネット１２の左右両側に設けられたヒンジ２５により回動自在に枢支された左右一対の回動式の冷蔵室扉１４ａ，１４ａにより閉塞されている。冷蔵室扉１４ａの後面には、複数段のドアポケット３９が設けられている。また、押しこみ式の扉センサ１４ｂが設けられており、冷蔵室１４が開放状態にあるか閉塞状態にあるかを検知する。
【００１４】
野菜室１６、製氷室２１、小型冷凍室１８及び冷凍室２０の前面開口部は、引き出し式の野菜室扉１６ａ，製氷室扉２１ａ，小型冷凍室１８ａ，冷凍室扉２０ａによりそれぞれ閉塞され、また、押しこみ式の扉センサ１６ｂ，２１ｂ、１８ｂ、２０ｂが設けられ、各扉が開放状態にあるか閉塞状態にあるかを検知する。
【００１５】
（２）冷蔵室１４の構造
次に、冷蔵室１４について図１、図２、図３、図６、図７を参照して説明する。
【００１６】
冷蔵室１４の下部には、チルド室２６が設けられている。チルド室２６は、透明なガラス板よりなる天板（棚板）５０と、天板５０の下方に配され、前後方向に引き出し自在なチルド容器５１が設けられている。このチルド室２６の背面は、後から説明するカバー４８によってＲエバ室２９と区画されている。カバー４８は、天板５０の下方から前方に行くほど下方に傾斜した傾斜面５２と、傾斜面５２の下端から垂直方向に設けられた垂直面５３とより構成されている。このカバー４８は、ポリプロピレンより形成され、垂直面５３には、透光部８７が開口している。
【００１７】
冷蔵室１４の天井面には、庫内灯５４が設けられている。庫内灯５４は、天井面の前後方向の中央より前方に設けられた凹部５５に回路基板５６が設けられ、この回路基板５６に、庫内灯５４の光源となるＬＥＤ５７が設けられている。ＬＥＤ５７を囲うように透明な庫内灯カバー５８が設けられている。
【００１８】
冷蔵室１４の背面には、冷気を吹き出すための吹出口４１が複数開口している。
【００１９】
冷蔵室１４の上部からチルド室２６までには、複数の透明なガラス板よりなる棚板５９が、水平に複数段設置されている。
【００２０】
（３）冷凍サイクル６０
冷蔵庫１０の冷凍サイクル６０について説明する。
【００２１】
冷蔵室１４、野菜室１６の後部には、これら室内を冷却する冷蔵用蒸発器（以下、「Ｒエバ」という）２８と、Ｒエバ２８で冷却された冷気を冷蔵室１４、野菜室１６へ送風する冷蔵用送風機（以下、「Ｒファン」という）３０と、後から説明する空気浄化装置８０を収納するＲ室２９が設けられている。
【００２２】
製氷室２１、小型冷凍室１８、冷凍室２０の後部には、これら室内を冷却する冷凍用蒸発器（以下、「Ｆエバ」という）３２と、Ｆエバ３２で冷却された冷気を製氷室２１、小型冷凍室１８、冷凍室２０へ送風する冷凍用送風機（以下、「Ｆファン」という）３４とを収納するＦエバ室３３が設けられている。
【００２３】
Ｒエバ２８、Ｆエバ３２は、キャビネット１２の背面下部に設けられた機械室２２内に収納された圧縮機６５、凝縮器６６と共に冷凍サイクル６０を構成する。
【００２４】
冷凍サイクル６０は、図４に示すように、高温高圧のガス状の冷媒を吐出する圧縮機６５と、圧縮機６５から吐出されるガス状の冷媒を受けて放熱液化する凝縮器６６と、凝縮器６６の出口側に設けられ冷媒流路を切り換える切替弁６７と、Ｒエバ２８とＦエバ３２と、Ｒエバ２８とＦエバ３２のための絞り手段としてのＲ減圧装置６８及びＦ減圧装置６９と、逆止弁７０とを備えている。冷凍サイクル６０は、これらを冷媒パイプによって配管接続することで、圧縮機６５から吐出された冷媒を循環させてＲエバ２８とＦエバ３２を冷却する。
【００２５】
（４）ダクトの構造
Ｒ室２９は、図２に示すように、冷蔵室１４の背面に設けられた背面ダクト４０に接続されており、Ｒファン３０の回転によりＲエバ２８で冷却された空気が、空気浄化装置８０を通り背面ダクト４０の下端から上端へ上方に向けて流れ込み、冷蔵室１４の背面に設けられた吹出口４１から冷蔵室１４内へ吹き出す。
【００２６】
冷蔵室１４へ吹き出した空気は、冷蔵室１４内を流れた後、一部が仕切体３８に設けられた吸込口４２からＲ室２９に戻り、他の一部が仕切体３８に穿設された不図示の導入口を通って野菜室１６へ流れ込み野菜室１６内を流れた後、野菜室１６の背面に設けられた吸込口４３からＲ室２９に戻る。
【００２７】
Ｆエバ室３３は、製氷室２１及び小型冷凍室１８の背面に設けられた吹出口４４と、冷凍室２０に設けられた吹出口４５及び吸込口４６が接続されている。そして、Ｆエバ３２で冷却された空気は、Ｆエバ室３３内のＦファン３４の回転により、吹出口４４から製氷室２１及び小型冷凍室１８内へ吹き出すと共に、吹出口４４から冷凍室２０内へ吹き出す。吹出口４４から製氷室２１及び小型冷凍室１８内へ吹き出した空気は、製氷室２１及び小型冷凍室１８の内部を冷却しながら流れた後、冷凍室２０へ流れ込む。製氷室２１及び小型冷凍室１８から冷凍室２０へ流れ込んだ空気は、吹出口４５から冷凍室２０へ吹き出した空気と共に冷凍室２０内を流れた後、吸込口４６を通ってＦエバ室３３に戻る。
【００２８】
（５）空気浄化装置８０
空気浄化装置８０について図３を参照して説明する。空気浄化装置８０は、Ｒ室２９の出口付近に設けられ、冷蔵室１４、野菜室１６を循環する空気を除菌及び脱臭する。
【００２９】
空気浄化装置８０は、図３に示すように、フレーム８１と、このフレーム８１の内部の上部と下部に配置された２個の発光装置８２と、これら２個の発光装置８２間に配置された２枚のフィルタ８３とを備えている。
【００３０】
フレーム８１は、直方体であり、下面と上面に通気開口部８９，９０が開口している。
【００３１】
フィルタ８３は、空気の流通が可能で可視光応答型光触媒８４が担持されている。可視光応答型光触媒とは、酸化チタン、酸化亜鉛、チタン酸ストロンチウム、酸化タングステン及び炭化珪素からなる群より選択される少なくとも一種類に、バナジウム、クロム、マンガン、鉄、コバルト、ニッケル及び銅からなる群より選択される少なくとも一種類の不純物元素をドーパントとして加えたものや、光触媒粒子の表面にハロゲン化白金化合物を含有させて光触媒としたものであって、１〜３６０ｎｍである紫外線の波長で触媒活性を示す通常の光触媒、例えば、最も一般的な光触媒である酸化チタンは２７０ｎｍの紫外線で活性化するのに対して、それより低エネルギーの３６０〜７６０ｎｍの可視光領域の光でも活性化する光触媒であり、例えば、窒素ドープによる酸化チタン可視光応答型光触媒や、白金担持酸化チタンなどが知られている。
【００３２】
上下の２個の発光装置８２には、厚さ方向に貫通した貫通孔８５が複数個形成されていて、Ｒ室２９を流れる冷気が発光装置８２に設けられた貫通孔８５を通過する。そして、上側の発光装置８２の下面には複数個の光源であるＬＥＤ（発光ダイオード）８６が下向きに設けられ、また、下側の発光装置８２の上面にも複数個のＬＥＤ８６が上向きに設けられている。これら各ＬＥＤ８６は、フィルタ８３に担持した可視光応答型光触媒８４を励起する波長帯の光を含む可視光を発光するもので、このような２枚の発光装置８２は、可視光応答型光触媒８４を担持したフィルタ８３の上下に間隔を開けつつＬＥＤ８６を設けた面をフィルタ８３に向けて配置されている。
【００３３】
チルド室２６とＲ室２９の前面（冷蔵室１４側）を区画するカバー４８の垂直面５３における空気浄化装置８０に対応する位置に矩形の透光部８７が設けられている。透光部８７は、空気浄化装置８０に設けられた発光装置８２のＬＥＤ８６からフィルタ８３に照射された可視光を透過し、チルド室２６へ漏れ出る。
【００３４】
この空気浄化装置８０の動作について説明する。冷却された空気は、下面の通気開口部８９からフレーム８１内に流入し、貫通孔８５を通り、空気の流通が可能なフィルタ８３に到る。発光装置８２のＬＥＤ８６の光は、フィルタ８３の可視光応答型光触媒８４を励起させて活性化し、２個のフィルタ８１に到った空気に含まれた臭気成分や細菌などを分解除去する。浄化された空気は、貫通孔８５を通り、上面の通気開口部９０からフレーム８１外に流出する。また、ＬＥＤ８６の光は、透光部８７からチルド室２６に漏れて、ユーザは、空気浄化装置８０が動作していることを判別できる。
【００３５】
（６）冷蔵庫１０の電気的構成
冷蔵庫１０の電気的構成について図５のブロック図を参照して説明する。キャビネット１２の背面上部に設けられた制御部１００は、例えばマイクロコンピュータとメモリを備え、図５に示すように、扉センサ１４ｂ，１６ｂ，２１ｂ、１８ｂ、２０ｂ、製氷装置１９、Ｒセンサ３１、Ｆセンサ３５、Ｒファン３０、Ｆファン３４、圧縮機６５、切替弁６７、庫内灯５４、発光装置８２が接続されている。
【００３６】
制御部１００は、各種センサ２６ａ，２７ａ、２８ａ、２９ａ、３０ａ、３５，３１，３５から入力される検出信号と予めメモリに記憶された制御プログラムに基づいてＲファン３０、Ｆファン３４の回転速度や切替弁６７の運転周波数や庫内灯５４、発光装置８２に設けられた光源から放出される発光量を制御して冷蔵庫１０の動作全般を制御する。
【００３７】
具体的には、冷蔵室１４及び野菜室１６の冷蔵空間を冷却する場合、制御部１００が、冷凍サイクル６０に設けられた切替弁６７を切り替えてＲエバ２８に冷媒が流れるようにすると共に、Ｒファン３０を運転させるＲモードを実行する。これにより、Ｒエバ２８で冷却された空気は、冷蔵室１４及び野菜室１６に送風されこれらの貯蔵室内を冷却する。
【００３８】
一方、冷凍室２０等の冷凍空間を冷却する場合には、制御部１００が、冷凍サイクル６０に設けられた切替弁６７を切り替えて冷媒がＦエバ３２に流れるようにすると共に、Ｆファン３４を運転させるＦモードを実行する。これにより、Ｆエバ３２で冷却された空気は冷凍室２０等の冷凍空間に送風され、冷凍空間に設けられた各室が冷却される。
【００３９】
また、制御部１００は、上記したＲモードの実行中に空気浄化装置８０を動作させて清浄運転する。
【００４０】
また、制御部１００は、扉センサ１４ｂで冷蔵室扉１４ａの開扉状態を検知すると、庫内灯５４のＬＥＤ５７を点灯させて冷蔵室１４内を照明する。
【００４１】
（７）「脱臭除菌」の文字投影
次に、庫内灯５４を用いて、文字投影を行う構造について図６と図７を参照して説明する。
【００４２】
冷蔵室１４の左右一対の冷蔵室扉１２ａ，１２ａを開くと、庫内灯５４のＬＥＤ５７が点灯し、冷蔵室１４の下方に照明光が照射される。一方、チルド室２６の天板５０には、図７に示すように「脱臭除菌」という黒い文字が表現体として印刷されている。以下この印刷された部分を「表現部４９」という。
【００４３】
庫内灯５４のＬＥＤ５７が点灯すると、その照明光は図６に示すように、透明な３枚の棚板５９を通り、天板５０に至る。図７に示すように、天板５０には表現部４９が印刷されているため、表現部４９によって陰影が形成され、この陰影が傾斜面５２に投影される。
【００４４】
冷蔵室１４内において図６に示すように上から順番に、天井面のやや前部に庫内灯５４のＬＥＤ５７、表現部４９、チルド室２６の後部に傾斜面（投影部）５２が設けられ、ＬＥＤ５７と傾斜面５２を結ぶ照明光の直線が、垂直線とは傾斜した線であり、この照明光の反射光が冷蔵室１４の前面開口部に向いているため、ユーザが冷蔵室１４の前方から目視できる。
【００４５】
また、傾斜面５２は、図６に示すようにユーザが、冷蔵室１４の前方から目視できる高さ（１３０〜１５０ｃｍ）にあり、傾斜面５２の鉛直面は、冷蔵室１４の前面開口部の範囲内にあり、鉛直面が冷蔵室１４の前方から見て隠れないので、ユーザから投影された文字が見やすい。
【００４６】
また、傾斜面５２はポリプロピレンより形成されているため文字の投影がくっきりと行うことができ、さらに、ＬＥＤ５７は点光源であるため、表現部４９で表現されている文字よりも傾斜面５２で投影された文字が大きくなるので、ユーザから見やすくなる。
【００４７】
なお、表現部４９において表現された表現体の文字はあくまでも例示であり、これ以外の漢字、ひらがな、アルファベット、数字、記号、図形でもよく、その表現部４９によって表現される表現体の意味は、商品名、型番、空気浄化装置８０などの特定機能などを表せばよい。
【００４８】
（８）効果
本実施形態によれば、天板５０にのみ表現部４９を印刷するだけで、傾斜面５２にもその文字が投影されているため、冷蔵室１４内部の文字の印刷箇所を減らすことができ、コストの削減となり、工程数も削減できる。
【００４９】
また、投影部である傾斜面５２が、ユーザの目視できる高さにあるため、傾斜面５２に投影された文字を確実に認識できる。また、傾斜面５２に投影された文字のサイズが、表現部４９で表現された文字より大きいため、ユーザが目視しやすい。
【００５０】
また、傾斜面５２の鉛直面は、冷蔵室１４の前面開口部の範囲にあるため、投影された文字が隠れない。
【００５１】
また、庫内灯５４の位置が、表現部４９よりも前方に位置しているため、ＬＥＤ５７と傾斜面５２を結ぶ照明光の直線が、垂直線とは傾斜した角度となり、この照明光の反射光が冷蔵室１４の前面開口部に向くため、ユーザは傾斜面５２に投影された文字を目視できる。
【００５２】
また、カバー４８は、ポリプロピレンより形成されているため、傾斜面５２に文字がくっきりと投影される。
【実施形態２】
【００５３】
次に、実施形態２の冷蔵庫１０について説明する。
【００５４】
上記実施形態では表現部４９をチルド室２６の天板５０に設けたが、これに代えて、本実施形態では、冷蔵室１４の他の棚板５９に印刷する。この場合には、ＬＥＤ５７、表現部４９、傾斜面５２が直線になる位置に印刷する。
【実施形態３】
【００５５】
次に、実施形態３の冷蔵庫１０について説明する。
【００５６】
実施形態１では表現部４９をチルド室２６の天板５０に印刷したが、これに代えて、本実施形態では、庫内灯５４の庫内灯カバー５８に表現部４９を印刷する。
【実施形態４】
【００５７】
次に、実施形態４の冷蔵庫１０について図８を参照して説明する。
【００５８】
上記実施形態では、庫内灯５４を光源として傾斜面５２に文字を投影したが、本実施形態では、空気浄化装置８０のＬＥＤ８６を光源として投影する場合である。図８に示すように、カバー４８の垂直面５３に開口した透光部８７の前面に、透明な板よりなる表現部８９が設けられている。この表現部９１には、例えば「チルド」と印刷されている。
【００５９】
ユーザが、左右一対の冷蔵室扉１２ａ，１２ａを開くと、空気浄化装置８０のＬＥＤ８６からの照明光が、透明な表現部８９を透過し、チルド容器５１の前面５１ａに「チルド」を投影する。
【００６０】
これにより、チルド容器５１の前面５１ａに「チルド」の文字を印刷することなく、この容器５１がチルド容器であることをユーザに知らせることができる。
【実施形態５】
【００６１】
次に、実施形態５の冷蔵庫１０について説明する。
【００６２】
実施形態３では光源は、冷蔵室１４の天井面にある庫内灯５４、表現部４９を庫内灯カバー５８に設け、斜面５２に投影した。これに代えて、本実施形態では、天井面の前端部に新たに光源を設け、この光源のシェードカバーに表現体が印刷された表現部４９を設け、冷蔵室１４の背面に表現部４９を投影してもよい。すなわち、この場合には、背面が投影部となる。
【００６３】
また、本実施形態の変更例としては、光源を天井面の前端部ではなく、冷蔵室１４の扉１４ａの側面に設けてもよい。この側面とは、扉１４ａを開いた状態で、冷蔵室１４に相対向する面である。なお、この場合でも、この光源のシェードカバーに表現体が印刷された表現部４９を設け、冷蔵室１４の背面に表現部４９を投影する。
【実施形態６】
【００６４】
次に、実施形態６の冷蔵庫１０について図８を参照して説明する。
【００６５】
上記各実施形態では、光源、表現部、投影部の順番に設けた。しかし、これに限らず、光源と表現部が独立しないで一部重なっていてもよい。
【００６６】
例えば、ＬＥＤ８６を内蔵した空気浄化装置８０はフレーム８１の全体が光るように見えるため、この全体を光源として空気浄化装置８０と前後方向に重なるように表現部を設けてもよい。すなわち、表現体の一部がフレーム８１内部に収納された状態でもよい。
【変更例】
【００６７】
上記実施形態では、庫内灯５４のＬＥＤ５７及び空気浄化装置８０のＬＥＤ８６の光の色は一定であったが、これに代えて冷蔵庫１０の運転状態に合わせて色を変化させてもよい。例えば、チルド状態では白色、急速冷凍では青色、解凍ではオレンジ色である。
【００６８】
また、上記実施形態では、冷蔵室１４にＬＥＤ（光源）５７、表現部４９、傾斜面（投影部）５２を設けたが、これに代えて野菜室１６にＬＥＤ（光源）５７、表現部４９、傾斜面（投影部）５２を一直線に設けてもよい。
【００６９】
また、上記実施形態では、表現部４９の文字は、黒色又は非透明の色で表現していたが、これに代えて黒色、青色、赤色などの非透明部分に文字を透明で印字した反転表現部であってもよい。
【００７０】
上記した実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００７１】
１０・・・冷蔵庫、１４・・・冷蔵室、２６・・・チルド室、４８・・・カバー、４９・・・表現部、５０・・・天板、５１・・・チルド容器、５２・・・傾斜面（投影部）、５４・・・庫内灯、５９・・・棚板、８０・・・空気浄化装置
【図１】
2019045084.tif 000003
【図２】
2019045084.tif 000004
【図３】
2019045084.tif 000005
【図４】
2019045084.tif 000006
【図５】
2019045084.tif 000007
【図６】
2019045084.tif 000008
【図７】
2019045084.tif 000009
【図８】
2019045084.tif 000010